(57)【要約】【課題】下部反射板と固着する必要がなく、下部反射板を照明器具本体に着脱可能に取り付けることができる照明器具用下部反射板の取り付け具を提供すること。【解決手段】１本の可撓性の細線を対称に折り曲げて、その折り曲げ部を下部反射板５０の係合受け部５１に挿入して係合させる係合部４１、開放端を照明器具本体に係止させる係止部４２としてなり、係合部４１が、折り曲げ部の先端から順次幅が拡大する拡大部４１ａと、この拡大部４１ａに連続して順次幅が縮小する縮小部４１ｂとからなり、拡大部４１ａの最大幅Ｌ１が係合受け部５１の開口幅Ｌ３より大きく、縮小部４１ｂの最小幅Ｌ２が係合受け部５１の開口幅Ｌ３と略同一であることを特徴とする取り付け具４０である。【選択図】図２
2006253031.tif 000002
【特許請求の範囲】
【請求項１】
照明器具の下方に下部反射板を着脱可能に取り付けるための照明器具用下部反射板の取り付け具であって、
１本の可撓性の細線を対称に折り曲げて、その折り曲げ部を下部反射板の係合受け部に挿入して係合させる係合部、開放端を照明器具本体に係止させる係止部としてなり、
前記係合部が、折り曲げ部の先端から順次幅が拡大する拡大部と、この拡大部に連続して順次幅が縮小する縮小部とからなり、前記拡大部の最大幅が前記係合受け部の開口幅より大きく、前記縮小部の最小幅が前記係合受け部の開口幅と略同一である照明器具用下部反射板の取り付け具。
【請求項２】
前記係合部は、これを垂直上方から前記係合受け部に挿入しようとしても挿入できず、斜めに傾けて回転させなから前記係合受け部に挿入するようにした請求項１に記載の照明器具用下部反射板の取り付け具。
【請求項３】
前記係合部の拡大部の最大幅が前記係合受け部の開口幅の略２倍である請求項２に記載の照明器具用下部反射板の取り付け具。
【発明の詳細な説明】
【技術分野】
【０００１】
本発明は、建屋の天井等に取り付けられて設置されるダウンライト等の照明器具の下方に下部反射板を取り付けるための取り付け具に関する。
【背景技術】
【０００２】
建屋の天井に取り付けられるダウンライト等の照明器具においては、照明器具からの光を天井に反射させ、天井を明るくすると共に、床面をその間接照明で照らして装飾性を向上させる等の目的から、下部反射板を下方に取り付ける場合がある。
【０００３】
この下部反射板は、必要に応じて照明器具に取り付けることが好ましく、本願出願人は特許文献１において、リング状の下部反射板を着脱可能に取り付けた照明器具を開示した。
【０００４】
この特許文献１の照明器具は、下部反射板に取り付け具を固着し、この取り付け具によって下部反射板を照明器具本体に着脱可能に係止するようにしたものである。
【０００５】
しかし、特許文献１のものでは、下部反射板に取り付け具を固着する必要があるので、そのための余分のコストが発生するという問題があった。また、下部反射板の輸送時においては、取り付け具を固着した状態で輸送する必要があるので、物流効率の面でも問題があった。
【特許文献１】登録実用新案第３１０６７６８号公報
【発明の開示】
【発明が解決しようとする課題】
【０００６】
本発明が解決しようとする課題は、下部反射板と固着する必要がなく、下部反射板を照明器具本体に着脱可能に取り付けることができる照明器具用下部反射板の取り付け具を提供することにある。
【課題を解決するための手段】
【０００７】
本発明は、照明器具の下方に下部反射板を着脱可能に取り付けるための照明器具用下部反射板の取り付け具であって、１本の可撓性の細線を対称に折り曲げて、その折り曲げ部を下部反射板の係合受け部に挿入して係合させる係合部、開放端を照明器具本体に係止させる係止部としてなり、前記係合部が、折り曲げ部の先端から順次幅が拡大する拡大部と、この拡大部に連続して順次幅が縮小する縮小部とからなり、前記拡大部の最大幅が前記係合受け部の開口幅より大きく、前記縮小部の最小幅が前記係合受け部の開口幅と略同一であることを特徴とするものである。
【０００８】
また、前記係合部は、これを垂直上方から前記係合受け部に挿入しようとしても挿入できず、斜めに傾けて回転させなから前記係合受け部に挿入できるように構成することが好ましい。具体的には、前記係合部の拡大部の最大幅を前記係合受け部の開口幅の２倍程度にする。
【発明の効果】
【０００９】
本発明によれば、取り付け具を下部反射板に着脱可能に係合させるようにしたので、従来のように、予め取り付け具を下部反射板に固着する必要がなく、固着のためのコストを削減できる。さらに、本発明の取り付け具は、１本の可撓性の細線を折り曲げただけの簡単な構成であり、その製造コストも低減でき、上述の固着のためのコスト削減も合わせると、従来の構造に比べてトータルコストを１００分の１以下に抑えることができる。
【００１０】
加えて、本発明の取り付け具は単品で輸送することが可能であり、物流効率も向上する。
【発明を実施するための最良の形態】
【００１１】
以下、本発明をダウンライトに適用した添付図に示す実施例に基づいて具体的に説明する。
【００１２】
図１は、本発明を適用したダウンライトを示す縦断面図である。
【００１３】
図１に示すダウンライト１００は、メタルハライドランプ（ＣＤＭ）からなる光源ランプ１０と、光源ランプ１０の光を反射させるための反射板２０と、反射板２０を固定する本体部３０とを備え、本体部３０の下方に、本発明の取り付け具４０によって下部反射板５０が着脱可能に取り付けられている。
【００１４】
光源ランプ１０は、反射板２０の天板部分に取りけられ、図示しないソケットに装着されて反射板２０内に位置している。
【００１５】
反射板２０は、底面形状（横断面形状）が正１８角形の笠状の１８面体からなり、その内面は、それぞれ傾斜角度の異なる第１傾斜部２１、第２傾斜部２２及び第３傾斜部２３からなる上下３段の傾斜部から形成されている。反射板２０の大きさや各傾斜部２１〜２３の傾斜角度及び長さは、ダウンライト１００を設置する場所の天井高さや照明範囲などの条件に応じて適宜設定される。
【００１６】
反射板２０の素材はアルミニウムであり、その内面の反射面はアルミニウムの表面にチタン・シリコンをコーティングすることによって鏡面状としている。反射板の素材としてはアルミニウムに限られず、例えば金属板を使用して内面を鏡面加工してもよい。
【００１７】
本体部３０は、その下端部外周に外方に突出したリング状の支持部材３１を有しており、この支持部材３１を天井Ｔの裏面に載置することにより、天井Ｔの裏面にダウンライト１００全体が懸架される。また、本体部３０の下端部外周には本発明の取り付け具４０の一端を係止する係止受け部３２が設けられている。この係止受け部３２は、本体部３０の周方向に等間隔で３箇所設けられている。
【００１８】
下部反射板５０は、光源ランプ１０からの光を天井Ｔに向けて反射するためのものであり、下部反射板５０を使用することにより、天井Ｔを明るくすることができ、床面はその間接照明で照らすことができる。下部反射板５０は、放熱のために中央部に孔を開けたリング状に形成されている。
【００１９】
図２は本発明の取り付け具４０を下部反射板５０の要部と共に示し、（ａ）は正面図、（ｂ）は側面図である。本実施例において、取り付け具４０は、直径１ｍｍ程度のステンレス製の細線を対称に折り曲げて形成したもので、その折り曲げ部を下部反射板５０の係合受け部５１に挿入して係合させる係合部４１とし、開放端を上述のダウンライトの本体部３０に設けた係止受け部３２に係止させる係止部４２としている。
【００２０】
係合部４１は、折り曲げ部の先端から順次幅が拡大する拡大部４１ａと、この拡大部４１ａに連続して順次幅が縮小する縮小部４１ｂとからなる。拡大部４１ａの最大幅Ｌ１は係合受け部５１の開口幅Ｌ３の２倍程度とし、縮小部４１ｂの最小幅Ｌ２は係合受け部５１の開口幅Ｌ３と略同一としている。したがって、係合部４１を垂直上方から係合受け部５１に挿入しようとしても挿入することはできない。
【００２１】
図３は、本発明の取り付け具４０の係合部４１を下部反射板５０の係合受け部５１に係合させる手順を示す説明図である。
【００２２】
まず、図３（ａ）に示すように取り付け具４０（係合部４１）を斜めに傾け、その状態で、係合部４１を係合受け部５１に合わせる。その後、図３（ｂ）に示すように、取り付け具４０の幅を狭めつつ垂直面内で回転させながら、係合部４１を係合受け部５１に押し込む。そうすると、図３（ｃ）に示すように、係合部４１が係合受け部５１に係合する。
【００２３】
その後、図３（ｄ）、（ｅ）に示すように、取り付け具４０の幅を狭め、その開放端の係止部４２を、上述のダウンライトの本体部に設けた係止受け部３２に係止させる。その後、取り付け具４０をもとの幅に復元させると、図３（ｆ）に示すように、下部反射板５０が取り付け具４０によって係止受け部３２に取り付けられる。
【００２４】
上述のとおり、係合部４１は、これを垂直上方から係合受け部５１に挿入しようとしても挿入することはできないので、図３（ｆ）に示すように係合部４１を係合受け部５１に一旦挿入した後においては、垂直方向に力が加わったとしても係合部４１は係合受け部５１から外れることはなく、安定して下部反射板５１を保持することができる。
【００２５】
下部反射板５１をダウンライトの本体部から取り外す場合、及び、取り付け具４０を下部反射板５１から取り外す場合は、図３の逆の手順で行う。
【００２６】
なお、実施例では、取り付け部４０の係合部４１の形状を菱形状としたが、これに限定されるものではなく、例えば、係合部の先端部分を円弧状、あるいは係合部全体を楕円状にしてもよい。
【産業上の利用可能性】
【００２７】
本発明は、天井に取り付けられるダウンライトだけでなく、壁面、床面に取り付ける照明器具にも適用可能である。
【図面の簡単な説明】
【００２８】
【図１】本発明を適用したダウンライトを示す縦断面図である。
【図２】本発明の取り付け具を下部反射板の要部と共に示し、（ａ）は正面図、（ｂ）は側面図である。
【図３】本発明の取り付け具の係合部を下部反射板の係合受け部に係合させる手順を示す説明図である。
【符号の説明】
【００２９】
１００  ダウンライト
１０  光源ランプ
２０  反射板
３０  本体部
３１  支持部材
３２  係止受け部
４０  取り付け具
４１  係合部
４１ａ  拡大部
４１ｂ  縮小部
４２  係止部
５０  下部反射板
５１  係合受け部
【図１】
2006253031.tif 000003
【図２】
2006253031.tif 000004
【図３】
2006253031.tif 000005